(57)【要約】【課題】ケースの長手方向を大型化することなく操作体のストロークを充分確保することのできるスイッチ装置を提供する。【解決手段】ケース２に操作体３を揺動自在に取付け、ケース２内には操作部３により揺動する駆動体４と、駆動体４により押圧されるスイッチ素子５とを納めるものであって、操作体３はケース２の幅方向に設けられる操作回転軸芯１０を中心に揺動自在とされると共に、操作回転軸芯１０から長手方向に所定間隔離隔した下面に駆動体４を押圧する押圧部１１を備え、駆動体４は操作回転軸芯１０とは直交する方向に設けられる駆動回転軸芯２０を中心に揺動自在とされると共に、押圧部１１に押圧される被押圧部２１をケース２の幅方向において駆動回転軸芯２０から離れた位置の上面に有してなる。【選択図】図３
2007265739.tif 000002
【特許請求の範囲】
【請求項１】
揺動自在にケースに保持される操作体と、前記ケース内に納められ、前記操作体により揺動する駆動体と、該駆動体により押圧されるスイッチ素子とを有するスイッチ装置において、
前記操作体は前記ケースの幅方向の操作回転軸芯を中心に揺動自在とされると共に、前記操作回転軸芯から前記ケースの長手方向に所定間隔離隔した下面に前記駆動体を押圧する押圧部を備え、
前記駆動体は前記操作回転軸芯とは直交する方向の駆動回転軸芯を中心に揺動自在とされると共に、前記押圧部に押圧される被押圧部を前記ケースの幅方向において前記駆動回転軸芯から離れた位置の上面に有することを特徴とするスイッチ装置。
【請求項２】
前記駆動回転軸芯は前記駆動体のケース側端部近傍に配置されることを特徴とする請求項１記載のスイッチ装置。
【請求項３】
前記スイッチ素子は前記ケースの長手方向に沿って２つ設けられてスイッチ対を構成し、前記駆動体は前記スイッチ対を同時に押圧するスイッチ押圧部を有することを特徴とする請求項１または２記載のスイッチ装置。
【請求項４】
前記駆動体は前記操作体が一方側に揺動した際に押圧される第１の駆動体と、前記操作体が他方側に揺動した際に押圧される第２の駆動体とからなり、
前記スイッチ対は前記第１の駆動体に押圧される第１のスイッチ対と、前記第２の駆動体に押圧される第２のスイッチ対とからなり、
前記第１のスイッチ対は前記ケースの幅方向において前記第１の駆動体の駆動回転軸芯と反対側に配置され、前記第２のスイッチ対は前記ケースの幅方向において前記第２の駆動体の駆動回転軸芯と反対側に配置されることを特徴とする請求項３記載のスイッチ装置。
【請求項５】
前記スイッチ対は前記ケースの長手方向において前記駆動体の操作体による押圧位置あるいは、これよりも前記操作回転軸芯に近い中央寄りに配置されることを特徴とする請求項３または４記載のスイッチ装置。
【発明の詳細な説明】
【技術分野】
【０００１】
本発明は、揺動自在な操作体によってスイッチ操作をなすスイッチ装置に関し、特に操作体により揺動する操作体を介してスイッチ素子を押圧操作するスイッチ装置に関する。
【背景技術】
【０００２】
車のパワーウインドウを操作するためのスイッチには、揺動自在な操作体によってスイッチ素子を押圧し、スイッチ操作をなすスイッチ装置が用いられる。このようなスイッチ装置は、操作体によって直接スイッチ素子を押圧するものや、駆動体を介して操作体による操作をスイッチ素子に伝えるものなどがある。駆動体を用いたスイッチ装置としては、例えば特許文献１に挙げるようなものがある。
【特許文献１】特表２００２−５３８５８８号公報
【発明の開示】
【発明が解決しようとする課題】
【０００３】
特許文献１に示されるスイッチ装置は、操作体の回転軸芯と駆動体の回転軸芯が、いずれもスイッチの幅方向となるように平行に配置されている。このため、駆動体の回転軸芯からスイッチ素子の押圧位置までの長さを長くして充分なストロークを確保したい場合には、駆動体を長くする必要があって、長手方向に長くなるという問題点があった。特に、パワーウインドウのスイッチとして用いる際には、ドア内にスイッチ装置を配置する必要があり、配置スペースに制約が生じる場合に所望のストロークを得られないことがあった。
【０００４】
本発明は上記課題を鑑みてなされたものであり、ケースの長手方向を大型化することなく操作体のストロークを充分確保することのできるスイッチ装置を提供することを目的とする。
【課題を解決するための手段】
【０００５】
上記課題を解決するため、本発明に係るスイッチ装置は、揺動自在にケースに保持される操作体と、前記ケース内に納められ、前記操作体により揺動する駆動体と、該駆動体により押圧されるスイッチ素子とを有するスイッチ装置において、
前記操作体は前記ケースの幅方向の操作回転軸芯を中心に揺動自在とされると共に、前記操作回転軸芯から前記ケースの長手方向に所定間隔離隔した下面に前記駆動体を押圧する押圧部を備え、
前記駆動体は前記操作回転軸芯とは直交する方向の駆動回転軸芯を中心に揺動自在とされると共に、前記押圧部に押圧される被押圧部を前記ケースの幅方向において前記駆動回転軸芯から離れた位置の上面に有することを特徴として構成される。
【０００６】
また、本発明に係るスイッチ装置は、前記駆動回転軸芯は前記駆動体のケース側端部近傍に配置されることを特徴として構成される。
【０００７】
さらに、本発明に係るスイッチ装置は、前記スイッチ素子は前記ケースの長手方向に沿って２つ設けられてスイッチ対を構成し、前記駆動体は前記スイッチ対を同時に押圧するスイッチ押圧部を有することを特徴として構成される。
【０００８】
さらにまた、本発明に係るスイッチ装置は、前記駆動体は前記操作体が一方側に揺動した際に押圧される第１の駆動体と、前記操作体が他方側に揺動した際に押圧される第２の駆動体とからなり、
前記スイッチ対は前記第１の駆動体に押圧される第１のスイッチ対と、前記第２の駆動体に押圧される第２のスイッチ対とからなり、
前記第１のスイッチ対は前記ケースの幅方向において前記第１の駆動体の駆動回転軸芯と反対側に配置され、前記第２のスイッチ対は前記ケースの幅方向において前記第２の駆動体の駆動回転軸芯と反対側に配置されることを特徴として構成される。
【０００９】
そして、本発明に係るスイッチ装置は、前記スイッチ対は前記ケースの長手方向において前記駆動体の操作体による押圧位置あるいは、これよりも前記操作回転軸芯に近い中央寄りに配置されることを特徴として構成される。
【発明の効果】
【００１０】
本発明に係るスイッチ装置によれば、操作体はケースの幅方向の操作回転軸芯を中心に揺動自在とされると共に、操作回転軸芯からケースの長手方向に所定間隔離隔した下面に駆動体を押圧する押圧部を備え、駆動体は操作回転軸芯とは直交する方向の駆動回転軸芯を中心に揺動自在とされると共に、押圧部に押圧される被押圧部をケースの幅方向において駆動回転軸芯から離れた位置の上面に有することにより、操作回転軸芯と駆動回転軸芯が直交しているのでケースの長手方向を長くすることなく駆動体の移動距離を長く取ることができる。
【００１１】
また、本発明に係るスイッチ装置によれば、駆動回転軸芯は駆動体のケース側端部近傍に設けられることにより、駆動回転軸芯とスイッチ押圧部までの距離を長く取ることができ、駆動体の移動距離をより長くすることができる。
【００１２】
さらに、本発明に係るスイッチ装置によれば、スイッチ素子はケースの長手方向に沿って２つ設けられてスイッチ対を構成し、駆動体はスイッチ対を同時に押圧するスイッチ押圧部を有することにより、スイッチ素子を押圧するための作動力を大きくすることができて、操作感触を向上させることができる。
【００１３】
さらにまた、本発明に係るスイッチ装置によれば、第１のスイッチ対はケースの幅方向において第１の駆動体の駆動回転軸芯と反対側に配置され、第２のスイッチ対はケースの幅方向において第２の駆動体の駆動回転軸芯と反対側に配置されることにより、駆動回転軸芯からスイッチ対までの距離を長くすることができ、駆動体の移動距離をより長くすることができる。
【００１４】
そして、本発明に係るスイッチ装置によれば、スイッチ対はケースの長手方向において駆動体の操作体による押圧位置よりも駆動回転軸芯に近い中央寄りに配置されることにより、複数のスイッチ素子からなるスイッチ対を設けてもケースについて長手方向を長くすることなく形成することができる。
【発明を実施するための最良の形態】
【００１５】
本発明の実施形態について図面に沿って詳細に説明する。図１には、本実施形態におけるスイッチ装置の分解斜視図を示している。この図に示すように本実施形態におけるスイッチ装置は、基部１に対して上方からケース２を取付け、ケース２には操作体３を揺動自在に取付け、またケース２には操作体３によって揺動される駆動体４と、ゴムからなり駆動体４に押圧されるスイッチ素子５と、接点部６ａを上面に備えた基板６とを納めてなるものである。
【００１６】
ケース２には上部に支軸部２ａが形成されており、この支軸部２ａに対して操作体３が軸部３ａを介して揺動自在に取付けられ、操作回転軸芯１０を構成する。ここで、操作回転軸芯１０はケース２の幅方向を向くように設けられる。なお、本実施形態では支軸部２ａを凹状に、軸部３ａを凸状に形成しているが、これらの凹凸関係を逆にしてもよい。
【００１７】
駆動体４は、第１の駆動体２３と第２の駆動体２４の２つからなり、操作体３の揺動方向に応じていずれか一方の駆動体４が揺動する。また、第１の駆動体２３は、ケース２の側面近傍となる一端部に軸部２３ａを備え、他端部には下面でスイッチ素子５を押圧するスイッチ押圧部２２が形成されている。軸部２３ａはケース２の内面に軸支されて駆動回転軸芯２０を構成する。第２の駆動体２４は、第１の駆動体２３とは反対側の一端部に軸部２４ａを備え、他端部には下面でスイッチ素子５を押圧するスイッチ押圧部２２が形成されている。軸部２４ａはケース２の内面に軸支されて駆動回転軸芯２０を構成する。なお、軸部２３ａ、２４ａとケース２の内面との凹凸関係は逆でもよい。
【００１８】
スイッチ素子５は、ケース２の長手方向に沿って２つずつ設けられた第１のスイッチ対３０と第２のスイッチ対３１とを構成している。すなわち、全部で４つのスイッチ素子５により２対のスイッチ対を構成している。第１のスイッチ対３０は、第１の駆動体２３のスイッチ押圧部２２によって２つ同時に押圧され、第２のスイッチ対３１は、第２の駆動体２４のスイッチ押圧部２２によって２つ同時に押圧される。
【００１９】
また、第１のスイッチ対３０は、ケース２の幅方向において第１の駆動体２３の駆動回転軸芯２０と反対側に配置され、第２のスイッチ対３１は、ケース２の幅方向において第２の駆動体２４の駆動回転軸芯２０と反対側に配置されて、互い違いとなるようにされている。これによって駆動体４において駆動回転軸芯２０からスイッチ押圧部２２までの距離を大きく取ることができ、スイッチ押圧部２２の移動量を大きくすることができる。
【００２０】
また、ケース２の長手方向において、第１のスイッチ対３０の一方は駆動体４の操作体３による押圧位置および軸部２３ａのほぼ真下に配置され、他方は駆動体４の操作体３による押圧位置および軸部２３ａよりも操作回転軸芯１０に近い中央寄りに配置され、また、回転軸芯１０を越えて配置される。また第２のスイッチ対３１も同様である。これによってケース２の長手方向長さを短く抑えることができ、また、４つのスイッチを密集して配置できるのでスペースを有効に活用でき、よってスイッチ装置全体としての小型化を図ることができる。なお、第１のスイッチ対３０の一方を、駆動体４の操作体３による押圧位置および軸部２３ａのほぼ真下に配置したが、この位置よりも操作回転軸芯１０に近い中央寄りに配置してもかまわない。
【００２１】
なお、図１の基板６を参照すれば明らかなように、第１のスイッチ対３０と第２のスイッチ対３１は長手方向にずらして配置している。図１０には、スイッチ素子とそれらを押圧する駆動体との位置関係を表した平面図を示している。図１０（ａ）は本実施形態の位置関係であり、この図に示すように第１のスイッチ対３０を構成するスイッチ素子５と第２のスイッチ対３１を構成するスイッチ素子５とを長手方向にずらしていることにより、第１の駆動体２３においてスイッチ押圧部２２と軸部２３ａとをつなぐ部分を、長手方向においてスイッチ素子５と重なった位置に配置できる。また、第２の駆動体２４においても同様にスイッチ押圧部２２と軸部２４ａとをつなぐ部分を、長手方向においてスイッチ素子５と重なった位置に配置できる。これによって全体の長手方向長さをＬ１とし、平面視Ｌ字形状の駆動体４の専有面積を少なくして配置できる。図１０（ｂ）には、スイッチ素子をずらさないように配置した場合について示しており、この場合にはスイッチ押圧部２２と軸部２３ａをつなぐ部分及びスイッチ押圧部２２と軸部２４ａをつなぐ部分について、スイッチ素子５と長手方向において重なるように配置できないので、全体の長手方向長さがＬ１より大きいＬ２となる。したがって図１０（ａ）のようにスイッチ素子を配置することで、スペース効率をよくすることができる。
【００２２】
基板６上には、４つのスイッチ素子５に対応した位置にそれぞれ接点部６ａが形成されており、第１のスイッチ対３０または第２のスイッチ対３１が駆動体４のスイッチ押圧部２２に押圧されることによって、それぞれスイッチ動作がなされるように構成されている。
【００２３】
図２には、スイッチ装置の平面図を示している。この図に示すように、スイッチ装置は上方から見て略方形状のケース２の上面に操作体３が露出するように構成されている。その操作は、操作体３の一端部である操作部１２を押し込むように一方側に揺動させることで、第１の駆動体２３を揺動させ、第１のスイッチ対３０を押圧してスイッチ動作を行わせることができる。また、操作部１２を持ち上げるように他方側に揺動させることで、第２の駆動体２４を揺動させ、第２のスイッチ対３１を押圧してスイッチ動作を行わせることができる。
【００２４】
図３には、図２のＡ−Ａ断面図を示している。この図に示すように、操作体３の下面には、その揺動に伴って駆動体４を押圧する押圧部１１が、第１の駆動体２３と第２の駆動体２４にそれぞれ対応して形成されている。また、第１の駆動体２３と第２の駆動体２４の上面は、それぞれ操作体３の押圧部１１に押圧される被押圧部２１として形成されている。
【００２５】
図４には、図２のＢ−Ｂ断面図を示している。この図に示すように、操作体３の押圧部１１は、ケース２の幅方向において第１の駆動体２３の駆動回転軸芯２０から離れた位置の上面である第１の駆動体２３の被押圧部２１を押圧するように配置されている。また、第１の駆動体２３の下面に形成されたスイッチ押圧部２２は、第１のスイッチ対３０を構成するスイッチ素子５の上面に当接した状態となっている。
【００２６】
図５には、図２のＣ−Ｃ断面図を示している。この図に示すように第２の駆動体２４においても、操作体３の押圧部１１は、ケース２の幅方向において第２の駆動体２４の駆動回転軸芯２０から離れた位置の上面である第２の駆動体２４の被押圧部２１を押圧するように配置されている。なお、第１の駆動体２３と第２の駆動体２４共に、押圧部１１のケース２における幅方向位置を変えることで、スイッチ素子５の押圧に必要な作動力を調整することができる。また、第２の駆動体２４の下面に形成されたスイッチ押圧部２２は、第２のスイッチ対３１を構成するスイッチ素子５の上面に当接した状態となっている。
【００２７】
図６には、操作部１２を押し込んで操作体３を一方側に揺動させた状態におけるＡ−Ａ断面図を示している。この図に示すように、操作体３を一方側に揺動させると、その下面に形成された押圧部１１が、第１の駆動体２３の被押圧部２１を押圧し、第１の駆動体２３はそれに伴って駆動回転軸芯２０を中心に揺動する。
【００２８】
図７には、図６と同じ状態におけるＢ−Ｂ断面図を示している。この図に示すように、駆動回転軸芯２０を中心に揺動した第１の駆動体２３は、第１のスイッチ対３０を構成するスイッチ素子５を押圧して基板６上の接点部６ａと導通させ、スイッチ動作を行わせる。一方、図６に示すように操作部１２を押し込む方向に操作体３を揺動させた場合には、操作体３は第２の駆動体２４を押圧することはなく、そのままの位置が保持される。
【００２９】
操作体３を他方側に揺動させた場合には、第２の駆動体２４が同様に動作する。図８には、操作部１２を持ち上げて操作体３を図６とは他方側に揺動させた状態におけるＡ−Ａ断面図を示している。この図に示すように、操作体３を他方側に揺動させると、押圧部１１が第２の駆動体２４の被押圧部２１を押圧し、第２の駆動体２４はそれに伴って駆動回転軸芯２０を中心に揺動する。
【００３０】
図９には、図８と同じ状態におけるＣ−Ｃ断面図を示している。この図に示すように、駆動回転軸芯２０を中心に揺動した第２の駆動体２４は、第２のスイッチ対３１を構成するスイッチ素子５を押圧して基板６上の接点部６ａと導通させ、スイッチ動作を行わせる。一方、図８に示すように操作部１２を持ち上げる方向に操作体３を揺動させた場合には、操作体３は第１の駆動体２３を押圧することはなく、そのままの位置が保持される。
【００３１】
このように駆動体４は、操作体３の操作回転軸芯１０と直交する方向に駆動回転軸芯２０を備え、操作体３の押圧に伴って駆動回転軸芯２０を中心に揺動するようにしたので、駆動体４の移動量を大きくしたい場合であっても、駆動体４を長手方向に長くする必要がなく、したがってケース２の長手方向も大きくする必要がない。
【００３２】
以上、本発明の実施形態について説明したが、本発明の適用はこれら実施形態に限られるものではなく、その技術的思想の範囲内において様々に適用されうるものである。
【図面の簡単な説明】
【００３３】
【図１】本実施形態におけるスイッチ装置の分解斜視図である。
【図２】スイッチ装置の平面図である。
【図３】図２のＡ−Ａ断面図である。
【図４】図２のＢ−Ｂ断面図である。
【図５】図２のＣ−Ｃ断面図である。
【図６】操作体を一方側に倒した状態のＡ−Ａ断面図である。
【図７】操作体を一方側に倒した状態のＢ−Ｂ断面図である。
【図８】操作体を他方側に倒した状態のＡ−Ａ断面図である。
【図９】操作体を他方側に倒した状態のＣ−Ｃ断面図である。
【図１０】スイッチ素子と駆動体の位置関係を示した平面図である。
【符号の説明】
【００３４】
１    基部
２    ケース
３    操作体
４    駆動体
５    スイッチ素子
６    基板
６ａ  接点部
１０    操作回転軸芯
１１    押圧部
１２    操作部
２０    駆動回転軸芯
２１    被押圧部
２２    スイッチ押圧部
２３    第１の駆動体
２４    第２の駆動体
３０    第１のスイッチ対
３１    第２のスイッチ対
【図１】
2007265739.tif 000003
【図２】
2007265739.tif 000004
【図３】
2007265739.tif 000005
【図４】
2007265739.tif 000006
【図５】
2007265739.tif 000007
【図６】
2007265739.tif 000008
【図７】
2007265739.tif 000009
【図８】
2007265739.tif 000010
【図９】
2007265739.tif 000011
【図１０】
2007265739.tif 000012